(57)【要約】この発明は、縦方向に互いに平行する溝部（１１）を形成する二本の外部材（１）、および前記外部材（１）の溝部（１１）内にそれぞれ摺動自在として配設した内部材（２）と前記内部材（２）の上端部に跨設する握り柄（３）とにより構成するハンドル（４）からなり、前記外部材（１）の溝部（１１）の側壁に沿ってラック（１３）を設けると共に、前記内部材（２）の下端部に、前記ラック（１３）と噛み合うピニオン（２１）を設け、さらに前記ピニオン（２１）に係脱自在としてピニオン（２１）の回転を自由にしたり阻止したりする係合部材（２４）を、前記内部材（２）内に弾性的に上下動自在として挿入したリンク（２３）の下端に連結し、前記リンク（２３）の上端に、ハンドル（４）の握り柄（３）に設けた操作部（３２）によって操作される揺動レバー（３３）を連結したものとしている。したがって、ハンドルを細かい間隔で多段階に寸法調節することができ、ハンドルを使用者の最適な寸法に伸ばして、鞄を運搬し易くすることができる。
2002067719.tif 000002
【特許請求の範囲】
【請求項１】
縦方向に互いに平行する溝部（１１）を形成する二本の外部材（１）、および前記外部材（１）の溝部（１１）内にそれぞれ摺動自在として配設した内部材（２）と前記内部材（２）の上端部に跨設する握り柄（３）とにより構成するハンドル（４）からなり、前記外部材（１）の溝部（１１）の側壁に沿ってラック（１３）を設けると共に、前記内部材（２）の下端部に、前記ラック（１３）と噛み合うピニオン（２１）を設け、さらに前記ピニオン（２１）に係脱自在としてピニオン（２１）の回転を自由にしたり阻止したりする係合部材（２４）を、前記内部材（２）内に弾性的に上下動自在として挿入したリンク（２３）の下端に連結し、前記リンク（２３）の上端に、ハンドル（４）の握り柄（３）に設けた操作部（３２）によって操作される揺動レバー（３３）を連結したことを特徴とする鞄のハンドル伸縮装置。
【請求項２】
前記ラック（４）を、外部材（１）の溝部（１１）の対向する側壁に沿ってそれぞれ設けると共に、前記内部材（２）の下端部に前記ラック（１３）のそれぞれと噛み合うピニオン（２１）を設けたものとしていることを特徴とする請求項１記載の鞄のハンドル伸縮装置。
【請求項３】
バネの弾力によって、前記リンク（２３）を前記内部材（２）内に弾性的に上下動自在として挿入したものとしていることを特徴とする請求項１記載の鞄のハンドル伸縮装置。
【発明の詳細な説明】
技術分野
この発明は、旅行用トランクなどの鞄に装着され、ハンドルを使用者の最適な寸法に伸ばして、運搬し易くすることのできる鞄のハンドル伸縮装置に関するものである。
背景技術
従来、この種の鞄のハンドル伸縮装置としては、例えば図１１〜１３に示したようなものが存在する。この鞄のハンドル伸縮装置は、縦方向に平行する二本の溝部１２１を設けた鞄の背面を覆う背面カバー１０２、および前記背面カバー１０２の両溝部１２１内にそれぞれ摺動自在として配設した内管１０４と前記両内管１０４の上端に跨設する握り柄１０５とにより構成するハンドル１０３からなっている。そして、前記背面カバー１０２の空間部Ｓに設けた上下二個所のストッパー部材１１３が、前記握り柄１０５に設けた操作部１０６の操作に連動して、前記ハンドル１０３の内管１０４の側壁に適宜間隔をあけて数個設けた係合孔１４１と係脱自在とすることにより、ハンドル１０３を伸縮できるようにしている。
すなわち、前記背面カバー１０２の溝部１２１の側壁の上下二個所に係合孔１２２を設けると共に、ストッパー係止部１２３を形成して、ストッパー部材１１３を前記溝部１２１に対して垂直にスライド可能に配設し、その突起部１１３ａが前記係合孔１２２を貫通して弾力的に前記溝部１２１へ突出して、前記内管１０４の側壁に設けた数個の係合孔１４１の何れかと係合するようにしている。そして、前記操作部１０６の操作によりハンドル１０３の内部に設けたジョイント１０７およびスライダーロッド１１１、スライダー部材１１０が連動して、抜け止め部材１０９に設けた舌体１３２をストッパー部材１１３の方向へ押圧している。さらに、前記舌体１３２がストッパー部材１１３の突起部１１３ａを押圧してこの突起部１１３ａと前記係合孔１４１との係合が解除されるようにしている。
このように構成することにより、前記操作部１０６を操作しない状態においては、前記ストッパー部材１１３の突起部１１３ａが、前記抜け止め部材１０９の舌体１３２を押圧し、前記舌体１３２がスライダー部材１１０の凹部１５１の方へ曲折し、それによって前記突起部１１３ａが内管１０４の係合孔１４１に係止されるようにしている。
ところで、上記従来の鞄のハンドル伸縮装置では、前記突起部１１３ａが係止される内管１０４の係合孔１４１は、内管１０４の側壁に適宜間隔をあけて数個（図に示したものでは三個）設けたものとしているので、ハンドル１０３を適宜間隔（例えば５〜１０ｃｍ）毎に、数段階（図に示したものでは上下でそれぞれ三段階）にしか伸縮させることができない。そのため、ハンドル１０３を細かい間隔で多段階に寸法調節することができず、ハンドル１０３を使用者の最適な寸法にできない場合が生じ、使用し難いものになっているという課題を有していた。
また、上記従来の鞄のハンドル伸縮装置では、前記背面カバー１０２の溝部１２１の側壁外部にストッパー係止部１２３を形成しているので、このストッパー係止部１２３を形成するための空間部Ｓが必要となって、装置自体が嵩の高いものとなり、鞄に装着する場合に体裁が悪くなったり、装着し難いものになるなどの課題を有していた。
そこで、この発明は、上記従来の課題を解決するものであり、ラックアンドピニオン機構を適用することにより、ハンドルを細かい間隔で多段階に寸法調節することができるようにし、ハンドルを使用者の最適な寸法に伸ばして、運搬し易くすることのできる鞄のハンドル伸縮装置を提供することを目的としてなされたものである。
さらに、この発明は、上記従来のハンドル伸縮装置のストッパー係止部１２３に相当する部材を溝部１２１の側壁内部に形成することにより、その部材を形成するための空間部Ｓを不要にして、装置自体を嵩の低いものとし、鞄に装着する場合に体裁良く装着することができるようにした鞄のハンドル伸縮装置を提供することを目的としてなされたものである。
発明の開示
この発明の鞄のハンドル伸縮装置は、縦方向に互いに平行する溝部１１を形成する二本の外部材１、および前記外部材１の溝部１１内にそれぞれ摺動自在として配設した内部材２と前記内部材２の上端部に跨設する握り柄３とにより構成するハンドル４からなる。前記外部材１の溝部１１には、側壁に沿ってラック１３を設けると共に、前記内部材２の下端部には、前記ラック１３と噛み合うピニオン２１を設けたものとしている。さらに、前記ピニオン２１に係脱自在としてピニオン２１の回転を自由にしたり阻止したりする係合部材２４を、前記内部材２内に弾性的に上下動自在として挿入したリンク２３の下端に連結したものとしている。そして、前記リンク２３の上端に、ハンドル４の握り柄３に設けた操作部３２によって操作される揺動レバー３３を連結したものとしている。
そして、この発明の鞄のハンドル伸縮装置は、前記ラック４を、外部材１の溝部１１の対向する側壁に沿ってそれぞれ設けると共に、前記内部材２の下端部に前記ラック１３のそれぞれと噛み合うピニオン２１を設けたものとしている。
さらに、この発明の鞄のハンドル伸縮装置は、バネの弾力によって、前記リンク２３を前記内部材２内に弾性的に上下動自在として挿入したものとしている。
発明を実施するための形態
次に、この発明を添付の図面にしたがって、より詳細に説明する。
図１〜５はこの発明の鞄のハンドル伸縮装置の一実施形態を示しており、図６〜１０はこの発明の鞄のハンドル伸縮装置の他実施形態を示している。何れの実施形態においても、この発明の鞄のハンドル伸縮装置は、縦方向に互いに平行する溝部１１を形成する二本の外部材１、および前記外部材１の溝部１１内にそれぞれ摺動自在として配設した内部材２と前記内部材２の上端部に跨設する握り柄３とにより構成するハンドル４からなる。
前記外部材１は、合成樹脂成形や金属成形された長尺状の箱体としており、直接、または蓋体５を被せた状態にして、鞄の背面板（図示せず）などに固着することにより、鞄に装着するようにしている。前記外部材１の溝部１１には、図１〜５に示した実施形態では、その一側壁である外側壁１２ａに沿ってラック１３を設けると共に、前記内部材２の下端部には、前記ラック１３と噛み合うピニオン２１を設けたものとしている。すなわち、ピニオン２１は、前記内部材２の下端部に軸支されると共に、内部材２の下端部側壁の切欠孔２２から一部を突出させて、その部分を前記ラック１３と噛み合うようにしている。また、前記外部材１の溝部１１には、図６〜１０に示した実施形態では、対向する側壁である外側壁１２ａおよび内側壁１２ｂに沿ってそれぞれラック１３を設けると共に、前記内部材２の下端部には、前記ラック１３のそれぞれと噛み合うピニオン２１を設けたものとしている。すなわち、両ピニオン２１は、前記内部材２の下端部に軸支されると共に、内部材２の下端部両側壁の切欠孔２２からそれぞれの一部を突出させて、それらの部分を前記それぞれのラック１３と噛み合うようにしている。また、前記内部材２の下端部に両ピニオン２１を軸支するには、それぞれを並列させたものとしてもよいが、図示したように、斜め方向にずらしたものとするのが、内部材２を細いコンパクトなものにすることができ、この内部材２に合わせて外部材１も細いコンパクトなものにすることができる。
そして、このように前記ラック１３を外部材１の溝部１１の対向するそれぞれの側壁に沿って設けたものは、前記ラック１３を外部材１の溝部１１の一側壁に沿って設けたものより、強度性に優れたものになる。なお、前記ラック１３は、前記溝部１１の側壁に直接形成したものとしたり、前記溝部１１の側壁に別体のラックレール（図示せず）を固着させたものとすることができる。
前記内部材２は、合成樹脂成形や金属成形された長尺状の筒体としており、内部に棒状としたリンク２３を挿入し、そのリンク２３の下端に、前記ピニオン２１に係脱自在としてピニオン２１の回転を自由にしたり阻止したりする係合部材２４を連結したものとしている。前記リンク２３は、図１〜５に示した実施形態では、後記する揺動レバー３３の支軸に巻装したねじりバネ４１の弾力によって、前記内部材２内に弾性的に上下動自在として挿入したものとしている。また、前記リンク２３は、図６〜１０に示した実施形態では、コイルバネ４２を巻装し、このコイルバネ４２の上端を握り柄３内に形成した押当部３１に押し当てると共にコイルバネ４２の下端をリンク２３に形成した係止部２３ａに係止させることにより、このコイルバネ４２の弾力によって、前記内部材２内に弾性的に上下動自在として挿入したものとしている。そして、前記係合部材２４は、合成樹脂成形体などとしており、下部に突起部２４ａを設けたものとして、この突起部２４ａを前記ピニオン２１に係脱自在として前記ピニオン２１の回転を自由にしたり阻止したりするようにしている。
前記握り柄３は、合成樹脂成形や金属成形された略コ字状の二分割自在とした部材より成り、それらの部材をビス止めするなどして結合し、内部に空間を有するものとしている。そして、前記握り柄３は、その略コ字状両端部を前記内部材２の両上端部にビス止めするなどして結合することにより、前記内部材２の上端部に跨設している。さらに、前記握り柄３の空間には、内部から外部に突出し、外部から押込み操作できるようにした操作部３２を設ける共に、この操作部３２の両側部にそれぞれ揺動レバー３３を設けている。前記揺動レバー３３は、その中央部を握り柄３の内部に軸支しており、それぞれの一端を前記操作部３２の両側部に軸支し、他端を前記リンク２３の上端に軸支して連結したものとしている。
以上のように構成したこの発明の鞄のハンドル伸縮装置は、次のような操作によってハンドルを伸縮させることができる。
すなわち、図２、７に示した状態において、使用者がこの発明の鞄のハンドル伸縮装置の握り柄３を握り、親指で操作部３２を押込み操作すると、操作部３２に軸支した側の揺動レバー３３の一端が下がり、リンク２３に軸支した側の揺動レバー３３の他端が上がる。すると、前記リンク２３が引き上げられ、リンク２３の下端に連結した係合部材２４も引き上げられる。この係合部材２４が引き上げられると、図４、９に示したように、係合部材２４の下部に設けた突起部２４ａとピニオン２１との係合が解除され、ピニオン２１の回転が自由になる。
そこで、使用者がハンドル伸縮装置の握り柄３を握ったまま、この握り柄３を引き上げると、ピニオン２１が回転してラック１３と噛み合いながら上昇するので、このピニオン２１を下端部に軸支している内部材２も外部材１を徐々に摺動して、外部材１から上に突き出させることができ、図５、１０に示したように、ハンドル４を適当な長さに伸ばして使用者の最適な寸法にすることができる。
そして、このハンドル４を使用者の最適な寸法にした状態で、使用者が操作部３２の押込み操作を中止すると、ねじりバネ４１やコイルバネ４２の弾力で操作部３２が元の状態に戻り、操作部３２に軸支した側の揺動レバー３３の一端が上がり、リンク２３に軸支した側の揺動レバー３３の他端が下がる。すると、前記リンク２３が押し下げられ、リンク２３の下端に連結した係合部材２４も押し下げられる。この係合部材２４が押し下げられると、係合部材２４の下部に設けた突起部２４ａとピニオン２１とが係合し、ピニオン２１の回転が阻止される。
したがって、この状態で、使用者がハンドル伸縮装置の握り柄３を握り、この握り柄３を引き上げても、ピニオン２１の回転が阻止されているので、ピニオン２１がラック１３と噛み合った状態で動かなくなり、前記ハンドル４が使用者の最適な寸法に維持され、この状態で鞄を運搬すれば、ハンドル４が持ちやすく運搬し易いものとなる。
次に、前記ハンドル４を使用者の最適な寸法にした状態において、使用者が再びハンドル伸縮装置の握り柄３を握り、親指で操作部３２を押込み操作すると、操作部３２に軸支した側の揺動レバー３３の一端が下がり、リンク２３に軸支した側の揺動レバー３３の他端が上がる。すると、リンク２３が引き上げられ、リンク２３の下端に連結した係合部材２４も引き上げられる。この係合部材２４が引き上げられると、前記したように係合部材２４の下部に設けた突起部２４ａとピニオン２１との係合が解除され、ピニオン２１の回転が自由になる。
そこで、使用者がハンドル伸縮装置の握り柄３を握ったまま、この握り柄３を押し下げると、ピニオン２１が回転してラック１３と噛み合いながら下降するので、このピニオン２１を下端部に軸支している内部材２も外部材１を徐々に摺動して、外部材１内に入り込ませることができ、図４、９に示したように、ハンドル４を縮ませた元の短い状態にすることができる。
そして、このハンドル４を縮ませた元の短い状態で、使用者が操作部３２の押込み操作を中止すると、ねじりバネ４１やコイルバネ４２の弾力で操作部３２が元の状態に戻り、操作部３２に軸支した側の揺動レバー３３の一端が上がり、リンク２３に軸支した側の揺動レバー３３の他端が下がる。すると、前記リンク２３が押し下げられ、リンク２３の下端に連結した係合部材２４も押し下げられる。この係合部材２４が押し下げられると、図２、７に示したように、係合部材２４の下部に設けた突起部２４ａとピニオン２１とが係合し、ピニオン２１の回転が阻止される。
したがって、この状態で、使用者がハンドル伸縮装置の握り柄３を握り、この握り柄３を引き上げても、ピニオン２１の回転が阻止されているので、ピニオン２１がラック１３と噛み合った状態で動かなくなり、前記ハンドル４が縮んだ元の短い状態に維持され、この状態で鞄を保管すれば、ハンドル４が邪魔ならず保管し易いものとなる。
発明の効果
この発明は、以上に述べたように構成されているので、ハンドルを細かい間隔で多段階に寸法調節することができるので、ハンドルを使用者の最適な寸法に伸ばして、鞄を運搬し易くすることができ、さらに装置自体を嵩の低いものとし、鞄に装着する場合に体裁良く装着することができるものとなるなどの優れた効果を奏する。
【図面の簡単な説明】
図１は、この発明の鞄のハンドル伸縮装置の一実施形態を示す一部切欠分解斜視図である。
図２は、図１に示す鞄のハンドル伸縮装置のハンドルを縮ませた状態における一部断面正面図である。
図３は、図２中のＡ−Ａ線による断面図である。
図４は、図２の鞄のハンドル伸縮装置のピニオンの回転を自由にした状態における一部断面正面図である。
図５は、図２に示す鞄のハンドル伸縮装置のハンドルを伸ばした状態における一部断面正面図である。
図６は、この発明の鞄のハンドル伸縮装置の他実施形態を示す一部切欠分解斜視図である。
図７は、図６に示す鞄のハンドル伸縮装置のハンドルを縮ませた状態における一部断面正面図である。
図８は、図７中のＢ−Ｂ線による断面図である。
図９は、図７の鞄のハンドル伸縮装置のピニオンの回転を自由にした状態における一部断面正面図である。
図１０は、図７に示す鞄のハンドル伸縮装置のハンドルを伸ばした状態における一部断面正面図である。
図１１は、従来の鞄のハンドル伸縮装置のハンドルを縮ませた状態における一部断面正面図である。
図１２は、従来の鞄のハンドル伸縮装置のハンドルを縮ませた状態における側面断面図である。
図１３は、従来の鞄のハンドル伸縮装置のスライダー部材および抜け止め部材の分解斜視図である。
【図１】
2002067719.tif 000003
【図２】
2002067719.tif 000004
【図３】
2002067719.tif 000005
【図４】
2002067719.tif 000006
【図５】
2002067719.tif 000007
【図６】
2002067719.tif 000008
【図７】
2002067719.tif 000009
【図８】
2002067719.tif 000010
【図９】
2002067719.tif 000011
【図１０】
2002067719.tif 000012
【図１１】
2002067719.tif 000013
【図１２】
2002067719.tif 000014
【図１３】
2002067719.tif 000015
【国際調査報告】
2002067719.tif 000016
2002067719.tif 000017